(57)【特許請求の範囲】
【請求項１】
被検者の体温を測定する電子体温計であって、
測定された体温データを、測定時刻と対応付けて保存する保存手段と、
前記保存手段に保存された体温データを、対応する前記測定時刻に応じてプロットすることでトレンドグラフを生成する生成手段と、
前記生成手段により生成されたトレンドグラフに基づいて、前記被検者の体温が上昇中であるのか下降中であるのかを判定する判定手段と、
前記判定手段において上昇中であると判定された場合には、前記被検者の体温が到達する最大値と、該最大値に到達する時刻とを推定値として推定し、前記判定手段において下降中であると判定された場合には、前記被検者の体温が平熱に到達する時刻を推定値として推定する推定手段と、
前記生成手段により生成されたトレンドグラフと、前記推定手段により推定された推定値とを表示する表示手段と
を備えることを特徴とする電子体温計。
【請求項２】
前記判定手段は、前記保存手段に保存された体温データの中から、対応付けられた前記測定時刻が新しい所定数の体温データを抽出し、時間の経過に従って変化する該所定数の体温データの傾きを求めることにより、前記被検者の体温が上昇中であるのか下降中であるのかを判定することを特徴とする請求項１に記載の電子体温計。
【請求項３】
前記生成手段は、更に、前記トレンドグラフを所定次数の曲線により近似することで、近似曲線を生成し、
前記表示手段は、更に、該生成した近似曲線を表示することを特徴とする請求項２に記載の電子体温計。
【請求項４】
発熱時の体温の時間変化を示すグラフを参照グラフとして複数パターン格納する格納手段を更に備え、
前記推定手段は、前記格納手段に格納された複数パターンの参照グラフと、前記生成されたトレンドグラフとの類似度を算出し、該算出された類似度が最大となる参照グラフに基づいて、前記推定値を推定することを特徴とする請求項３に記載の電子体温計。
【請求項５】
前記推定手段は、前記判定手段において上昇中であると判定された場合には、前記近似曲線に含まれる極小点または最小点を基準として、前記トレンドグラフと前記参照グラフとの位置合わせを行ったうえで前記類似度の算出を行い、前記判定手段において下降中であると判定された場合には、前記近似曲線に含まれる極大点または最大点を基準として、前記トレンドグラフと前記参照グラフとの位置合わせを行ったうえで前記類似度の算出を行うことを特徴とする請求項４に記載の電子体温計。
【請求項６】
前記表示手段は、前記判定手段において上昇中であると判定された場合には、前記推定された前記最大値に到達するまでの前記被検者の体温の時間変化を、前記類似度が最大となる参照グラフより抽出した後、前記トレンドグラフに重畳して表示し、前記判定手段において下降中であると判定された場合には、前記平熱に到達するまでの前記被検者の体温の時間変化を、前記類似度が最大となる参照グラフより抽出した後、前記トレンドグラフに重畳して表示することを特徴とする請求項５に記載の電子体温計。
【請求項７】
被検者の体温を測定する電子体温計の制御方法であって、
測定された体温データを、測定時刻と対応付けて保存する保存工程と、
前記保存工程において保存された体温データを、対応する前記測定時刻に応じてプロットすることでトレンドグラフを生成する生成工程と、
前記生成工程において生成されたトレンドグラフに基づいて、前記被検者の体温が上昇中であるのか下降中であるのかを判定する判定工程と、
前記判定工程において上昇中であると判定された場合には、前記被検者の体温が到達する最大値と、該最大値に到達する時刻とを推定値として推定し、前記判定工程において下降中であると判定された場合には、前記被検者の体温が平熱に到達する時刻を推定値として推定する推定工程と、
前記生成工程において生成されたトレンドグラフと、前記推定工程において推定された推定値とを表示する表示工程と
を備えることを特徴とする電子体温計の制御方法。
【発明の詳細な説明】
【技術分野】
【０００１】
本発明は、電子体温計及びその制御方法に関するものである。
【背景技術】
【０００２】
従来より、体温管理に適した電子体温計として、測定した体温の記録と、トレンドグラフの作成が可能な女性用電子体温計が知られている。当該電子体温計によれば、日ごとの基礎体温の変化を容易に管理することができる。
【先行技術文献】
【特許文献】
【０００３】
【特許文献１】特開２００５−５０３６４号公報
【発明の概要】
【発明が解決しようとする課題】
【０００４】
一方で、風邪やインフルエンザ等、各種疾病により発熱した場合にも、電子体温計を用いて体温の変化を管理することができれば有益である。日単位ではなく時間単位で行われた体温の測定結果を、体温の時間変化としてトレンドグラフにより可視化できれば、投薬タイミングを決定したり、投薬の効果を確認したりすることが可能となるからである。
【０００５】
しかしながら、発熱時の体温測定は一定間隔で行われるとは限られず、通常、測定間隔は不規則となる。このため、トレンドグラフとして測定点をプロットしたものを表示しただけでは、体温変化の推移が読み取りにくく、また、このようなトレンドグラフを見ても、被検者の今後の体温変化を推定することは困難である。
【０００６】
本発明は上記課題に鑑みてなされたものであり、発熱時の体温管理を容易にするとともに、体温変化の推移が把握しやすい電子体温計を提供することを目的とする。
【課題を解決するための手段】
【０００７】
上記の目的を達成するために本発明に係る電子体温計は以下のような構成を備える。即ち、
被検者の体温を測定する電子体温計であって、
測定された体温データを、測定時刻と対応付けて保存する保存手段と、
前記保存手段に保存された体温データを、対応する前記測定時刻に応じてプロットすることでトレンドグラフを生成する生成手段と、
前記生成手段により生成されたトレンドグラフに基づいて、前記被検者の体温が上昇中であるのか下降中であるのかを判定する判定手段と、
前記判定手段において上昇中であると判定された場合には、前記被検者の体温が到達する最大値と、該最大値に到達する時刻とを推定値として推定し、前記判定手段において下降中であると判定された場合には、前記被検者の体温が平熱に到達する時刻を推定値として推定する推定手段と、
前記生成手段により生成されたトレンドグラフと、前記推定手段により推定された推定値とを表示する表示手段とを備える。
【発明の効果】
【０００８】
本発明によれば、発熱時の体温管理を容易にするとともに、体温変化の推移が把握しやすい電子体温計を提供することが可能となる。
【図面の簡単な説明】
【０００９】
【図１】本発明の第１の実施形態に係る電子体温計１００の外観構成を示す図である。
【図２】電子体温計１００の機能構成を示す図である。
【図３】電子体温計１００の動作モードを説明するための図である。
【図４】電子体温計１００の体温測定モードにおける体温測定処理の流れを示すフローチャートである。
【図５】体温測定モードにおける表示部の表示内容を説明するための図である。
【図６】電子体温計１００のトレンド表示モードにおけるトレンド表示処理の流れを示すフローチャートである。
【図７】トレンド表示モードにおける表示部の表示内容を説明するための図である。
【図８】電子体温計１００のトレンド表示モードにおける推定処理の流れを示すフローチャートである。
【図９】上昇時推定処理の概要を説明するための図である。
【図１０】下降時推定処理の概要を説明するための図である。
【発明を実施するための形態】
【００１０】
以下、必要に応じて添付図面を参照しながら本発明の各実施形態の詳細を説明する。なお、本発明は以下の実施形態に限定されるものではなく、適宜変更可能であるものとする。
【００１１】
［第１の実施形態］
＜１．電子体温計の外観構成＞
図１は、本発明の第１の実施形態に係る電子体温計１００の外観構成を示す図である。図１において、１０１は電子体温計１００のハウジングであり、１０２はエンドキャップである。エンドキャップ１０２は、内蔵された温度計測部に対して被検者の体温が伝導しやすいように、ステンレスなどの金属により被覆されている。
【００１２】
１０３は体温測定結果として体温データ等を表示する表示部である。１０４及び１０５は電子体温計１００が有する動作モードである、“体温測定モード”と“トレンド表示モード”とを切り替えるための切り替えボタンである。体温測定モードボタン１０４が押下されると、体温測定モードに遷移し、体温測定及び体温測定結果の保存が可能となる。一方、トレンド表示モードボタン１０５が押下されると、トレンド表示モードに遷移し、保存された体温測定結果をトレンドグラフとして表示したり、表示されたトレンドグラフに基づいて、体温変化の推移を推定したりすることが可能となる。なお、図１の例は、“体温測定モード”に遷移した様子を示している。
【００１３】
１０６は移動ボタンであり、表示部１０３に表示された各項目に対する選択位置を表すカーソル（図１において不図示）を移動させる。１０７は決定ボタンであり、決定ボタン１０７が押下されることにより、移動ボタン１０６により移動されたカーソルの位置に対応する項目が選択される。
【００１４】
１０８はリセットボタンであり、体温測定モードにおいて体温測定した際に保存した体温測定結果を、保存先から消去する。
【００１５】
＜２．電子体温計の構成＞
図２は本実施形態にかかる電子体温計１００の機能構成を示すブロック図である。
【００１６】
電子体温計１００は、検出した温度を発振信号として出力する温度計測部２１０と、温度計測部２１０より出力された信号に基づいて各種処理を行い、被検者の体温データを算出すると共に電子体温計１００全体の動作を制御する演算制御部２２０と、算出された被検者の体温データを表示する表示部２３０（図１の表示部１０３に対応する）と、音声出力部２４０と、各種ボタン（図１の各種ボタン（１０４〜１０８）に対応する）を含む操作部２６０と、電源部２５０とを備える。
【００１７】
温度計測部２１０は、サーミスタ、コンデンサ、測温用ＣＲ発振回路等から構成されており、サーミスタにより検出された温度を発振信号として出力する。出力された発振信号はカウンタ２２２においてカウントされることで、デジタル量として出力される。なお、温度計測部２１０の構成は一例であって、これに限定されるものではない。
【００１８】
演算制御部２２０は、温度計測部２１０より出力される発振信号をカウントするカウンタ２２２を備える。
【００１９】
また、体温測定に必要なパラメータを格納したＥＥＰＲＯＭ２２５と、カウンタ２２２によるカウント値に基づいて体温データを算出するとともに、算出された体温データの時間変化に基づいて、被検者の体温データ（予測値）を算出するプログラムを格納したＲＯＭ２２４と、算出された体温データを時系列で記憶するためのＲＡＭ２２６と、ＲＯＭ２２４に格納されたプログラムに従った演算や音声出力部２４０への音声の出力を指示する演算処理部２２３とを備える。
【００２０】
なお、本実施形態に係る電子体温計１００では、ＲＯＭ２２４に、更に、トレンド表示モードにおけるトレンド表示処理（詳細は後述）にて用いられる複数の参照グラフ（詳細は後述）と、当該トレンド表示処理を実行するためのプログラムとが格納されているものとする。
【００２１】
また、演算制御部２２０は、演算処理部２２３において算出された体温データを測定結果として表示する表示部２３０を制御するための表示制御部２２７を備える。
【００２２】
更に、演算制御部２２０は、上記カウンタ２２２、表示制御部２２７、演算処理部２２３、温度計測部２１０を制御する制御回路２２１を備える。
【００２３】
＜３．電子体温計１００におけるモード＞
次に図３を用いて電子体温計１００におけるモード遷移について説明する。図３は電子体温計１００のモード遷移を示す図である。上述したように、電子体温計１００は、体温測定モードボタン１０４とトレンド表示モードボタン１０５とを備えており、いずれかのモード切り替えボタンが押下されることにより、モードが切り替わるよう構成されている。
【００２４】
電子体温計１００の電源ＯＮ直後は、デフォルトとして体温測定モードが起動されるものとする。この状態で、トレンド表示モードボタン１０５が押下されるとトレンド表示モードに遷移する。
【００２５】
トレンド表示モードに遷移した直後は、カーソル（図７の７０１）は“トレンド”位置にあり、トレンドグラフモードになっているものとする（図７（Ａ）参照）。この状態で、移動ボタン１０６を押下し、カーソルを“推定”位置に移動した後、決定ボタン１０７を押下すると推定処理モードに遷移する（図７（Ｂ）参照）。推定処理モードに遷移すると、推定処理が開始され、推定処理の結果が表示部１０３に表示される。
【００２６】
なお、推定処理モードに遷移した状態で、移動ボタン１０６を押下し、カーソルを“トレンド”位置に移動した後に、決定ボタン１０７を押下すると、再びトレンドグラフモードに戻る。なお、トレンドグラフモードであるか推定処理モードであるかに関わらず、トレンド表示モードに遷移した状態で、体温測定モードボタン１０４が押下されると、体温測定モードに遷移する。
【００２７】
＜４．体温測定処理の流れ＞
次に図４及び図５を用いて電子体温計１００における体温測定処理の流れを説明する。図４は電子体温計１００の体温測定処理の流れを示すフローチャートであり、図５は体温測定処理時の電子体温計１００の表示部１０３の表示内容を示す図である。電子体温計１００の電源が投入されると、図４に示す体温測定処理が演算処理部２２３によって開始される。
【００２８】
ステップＳ４０１では、トレンド表示モードが選択されたか否かを判定する。上述したように、電源が投入された直後は、電子体温計１００は体温測定モードにより起動されている。このため、トレンド表示モードボタン１０５が押下された場合には、トレンド表示モードに遷移するが、モードの切り替えボタンが押下されなかった場合には、体温測定モードのまま処理が進行する。
【００２９】
ステップＳ４０１において、トレンド表示モードが選択されたと判断された場合には、ステップＳ４１２に進み、トレンド表示処理を開始する。一方、トレンド表示モードが選択されなかったと判断された場合には、ステップＳ４０２に進む。なお、トレンド表示処理（ステップＳ４１２）の詳細は後述する。
【００３０】
ステップＳ４０２では、電子体温計１００の初期化を行い、サーミスタによる温度計測を開始する。具体的には、演算処理部２２３では、所定間隔、例えば、０．５秒おきに温度データの演算を行う。
【００３１】
ステップＳ４０３では、体温計測開始条件が成立したか否かを判断する。具体的には、前回の温度計測により演算された温度データの値（つまり、０．５秒前の温度データの値）からの上昇度が、所定の値（例えば、１℃）以上となったか否かを判断する。
【００３２】
上昇度が所定の値以上となったと判断した場合には、体温測定開始条件が成立したと判断し、当該温度データを計測したタイミングを、予測体温演算の基準点（ｔ＝０）として設定する。つまり、電子体温計１００では、急激な温度上昇が計測されると、被検者が、腋下に電子体温計１００を装着したものとみなす。
【００３３】
ステップＳ４０３において、体温測定開始条件が成立したと判断した場合には、ステップＳ４０４に進み、温度データの取り込みを開始する。具体的には、出力された温度データと、当該温度データを計測したタイミングとを、時系列データとしてＲＡＭ２２６に記憶していく。
【００３４】
ステップＳ４０５では、ステップＳ４０４において記憶された温度データを用いて、所定の予測式により、予測体温を演算する。
【００３５】
ステップＳ４０６では、基準点（ｔ＝０）から所定時間（例えば２５秒）、経過した後に、ステップＳ４０５において算出された一定区間（例えば、ｔ＝２５〜３０秒）における予測値が、予め設定された予測成立条件を満たすか否かを判断する。具体的には、所定の範囲（例えば、０．１℃）以内に収まっているか否かを判断する。
【００３６】
ステップＳ４０６において、予測成立条件を満たすと判断された場合には、ステップＳ４０７に進み、温度計測を終了するとともに、ステップＳ４０８に進み、予測体温の演算が終了した旨の音声を音声出力部２４０を介して出力し、表示部１０３に、演算された予測体温を表示する。
【００３７】
一方、ステップＳ４０６において、予測成立条件を満たさないと判断された場合には、ステップＳ４１３に進む。ステップＳ４１３では、基準点（ｔ＝０）から所定時間（例えば４５秒）経過したか否かを判断し、経過したと判断された場合には、温度計測を強制終了する。なお、強制終了した場合には、その際に演算されていた予測体温を、表示部１０３に表示する（ステップＳ４０８）。図５（Ａ）は、予測体温が表示部１０３に表示された様子を示している。
【００３８】
ステップＳ４０９では、表示部２３０に表示された予測体温（以下、「体温測定結果」）を保存するか否かをユーザに問い合わせる。図５（Ｂ）は、体温測定結果を保存するか否かをユーザに問い合わせた様子を示している。ユーザは、移動ボタン１０６を操作し、カーソル５０１を所望の位置に移動させる。つまり、体温測定結果の保存を希望する場合には、“Ｙｅｓ”の側にカーソル５０１を移動させ、体温測定結果の保存を希望しない場合には、“Ｎｏ”の側にカーソル５０１を移動させる。
【００３９】
“Ｙｅｓ”の側にカーソル５０１が移動された状態で、決定ボタン１０７が押下されると、ステップＳ４０９において、保存指示があったと判断され、ステップＳ４１０に進む。一方、“Ｎｏ”の側にカーソル５０１が移動された状態で、決定ボタン１０７が押下されると、ステップＳ４０９において、保存指示がなかったと判断され、ステップＳ４１１に進む。
【００４０】
ステップＳ４１０では、体温測定結果を、測定日時（または測定時刻）と対応付けてＥＥＰＲＯＭ２２５に保存する。図５（Ｃ）は、体温測定結果の保存指示があったと判断され、当該体温測定結果を測定日時と対応付けてＥＥＰＲＯＭ２２５に保存した後の表示部２３０の表示内容を示す図である。
【００４１】
ステップＳ４１１では、体温測定終了指示を受け付けたか否かを判断する。ステップＳ４１１において、体温測定終了指示を受け付けていないと判断された場合には、ステップＳ４０１に戻る。
【００４２】
一方、ステップＳ４１１において、体温測定終了指示を受け付けたと判断された場合には、電源部２５０をＯＦＦにする。
【００４３】
＜５．トレンド表示処理の流れ＞
次に図６及び図７を用いて電子体温計１００におけるトレンド表示処理（ステップＳ４１２）の詳細な流れについて説明する。図６は電子体温計１００のトレンド表示処理の流れを示すフローチャートであり、図７はトレンド表示処理時の電子体温計１００の表示部１０３の表示内容を示す図である。トレンド表示モードボタン１０５が押下されることで、演算処理部２２３によって、図６に示すトレンド表示処理が開始される。
【００４４】
ステップＳ６０１では、推定処理モードが選択されたか否かを判定する。上述したように、トレンド表示モードには、トレンドグラフモードと推定処理モードとがあり、トレンド表示モードボタン１０５が押下されトレンド表示モードに遷移した直後は、トレンドグラフモードが選択されている。このため、推定処理モードが選択された場合には、推定処理モードに遷移するが、推定処理モードが選択されなかった場合には、トレンドグラフモードのまま処理が進行する。
【００４５】
ステップＳ６０１において、推定処理モードが選択されたと判断された場合には、ステップＳ６０２に進む。一方、推定処理モードが選択されなかったと判断された場合には、ステップＳ６０７に進む。
【００４６】
ステップＳ６０７では、ＥＥＰＲＯＭ２２５に保存されているすべての体温測定結果を読み出し、該各体温測定結果を、対応づけて保存された測定日時に従ってプロットすることで、トレンドグラフを作成し、表示部１０３に表示する。図７（Ａ）は、トレンドグラフモードにおいて、トレンドグラフが表示された様子を示している。ステップＳ６０７において、トレンドグラフの表示が完了した場合には、ステップＳ６０１に戻る。
【００４７】
一方、ステップＳ６０２では、トレンドグラフとしてプロットされた各体温測定結果のうち、最新の体温測定結果を所定数取得する。
【００４８】
ステップＳ６０３では、ステップＳ６０２において取得された所定数の体温測定結果に基づいて、現時点（最新の体温測定結果が保存された時点）における被検者の体温変化が上昇中であるのか、下降中であるのかを判定する。具体的には、所定数の体温測定結果を用いて、時間経過に対する体温変化の傾きがプラスであるのかマイナスであるのかを判断する。時間経過に対する体温変化の傾きがプラスであった場合には、被検者の体温変化が上昇中であると判定し、ステップＳ６０４に進む。一方、時間経過に対する体温変化の傾きがマイナスであった場合には、被検者の体温変化が下降中であると判定し、ステップＳ６０５に進む。
【００４９】
ステップＳ６０４では、上昇時推定処理を実行し、今後、被検者の体温が何度まで上昇するか（体温最大値）を推定するとともに、体温最大値に到達する時刻を推定する。一方、ステップＳ６０５では、下降時推定処理を実行し、被検者の体温が平熱に到達する時刻を推定する。なお、上昇時推定処理及び下降時推定処理についての詳細は後述する。
【００５０】
上昇時推定処理または下降時推定処理が実行された後は、ステップＳ６０１に戻る。図７（Ｂ）は、上昇時推定処理が実行され、上昇時推定グラフ（後述）がトレンドグラフに重畳して表示されるとともに、推定値（体温最大値および体温最大値に到達する時刻）及びトレンドグラフの近似曲線が表示された様子を示している。
【００５１】
＜６．推定処理の詳細＞
次に、上昇時推定処理（ステップＳ６０４）及び下降時推定処理（ステップＳ６０５）の詳細について、図８〜図１０を用いて説明する。図８（Ａ）は、上昇時推定処理（ステップＳ６０４）の詳細な流れを示すフローチャートであり、図８（Ｂ）は下降時推定処理（ステップＳ６０５）の詳細な流れを示すフローチャートである。また、図９は、上昇時推定処理（ステップＳ６０４）の概要を示す図であり、図１０は、下降時推定処理（ステップＳ６０５）の概要を示す図である。
【００５２】
（１）上昇時推定処理について
はじめに上昇時推定処理（ステップＳ６０４）の詳細について説明する。ステップＳ８０１では、読み出されプロットされた体温測定結果（図９（ａ）参照）の中から、極小点となる体温測定結果を判別し、基準点として定義する。具体的には、読み出されプロットされた体温測定結果を所定次数の曲線により近似し（図９（ｂ）の９０１）、微分値がゼロとなる時刻における体温測定結果（または微分値がゼロとなる時刻に最も近い体温測定結果）を極小点として判別し基準点とする。なお、極小点が複数存在していた場合には、最も新しいものを基準点とする。更に、極小点がない場合には、読み出された体温測定結果のうち、最小値の点（最小点）を基準点とする（図９（ｂ）の９０２）。
【００５３】
ステップＳ８０２では、ＲＯＭ２２４に格納された複数パターンの参照グラフ９１１を順次読み出し、トレンドグラフと対比し、類似度を算出する。ここで、「参照グラフ」とは、発熱時の体温の時間変化を示すグラフであって、所定数の被検者の発熱時の体温の時間変化を複数のパターンに分類することにより得られた、複数の典型的な体温変化パターンをいうものとする。
【００５４】
類似度の算出に際しては、まず、ステップＳ８０１において定義された基準点９０２に対応する参照グラフ９１１上の基準点（極小点または最小点）９１２に基づいて、トレンドグラフの時間幅Ｔ分の参照グラフ（領域９１３）を抽出する。そして、抽出した参照グラフと、ステップＳ８０１において定義された基準点９０２から最新の体温測定結果までの時間幅Ｔ分のトレンドグラフ（領域９０３）とを、基準点９０２及び基準点９１２に基づいて位置合わせした後、対比し、両者の類似度を算出する。なお、当該類似度の算出は、ＲＯＭ２２４に格納された複数パターンの参照グラフ９１１すべてに対して実行されるものとする。
【００５５】
ステップＳ８０３では、ステップＳ８０２において各参照グラフ９１１について算出された類似度に基づいて、類似度が最大となる参照グラフ９１４を判別する。更に、判別した参照グラフ９１４に基づいて、体温最大値及び体温最大値に到達する時刻を推定値として算出する。
【００５６】
具体的には、参照グラフ９１４における領域９１３より後の領域であって、体温変化が極大となる点９１５を求め、そのときの体温値を体温最大値とする。また、領域９１３より後において体温変化が極大となる点９１５に到達するまでの時間ｔを算出する。そして、トレンドグラフにおける最新の体温測定結果に対応付けられた測定日時に、当該時間ｔを加算した場合の時刻を算出し、体温最大値に到達する推定時刻とする。
【００５７】
ステップＳ８０４では、上昇時推定グラフを生成する。具体的には、参照グラフ９１４における領域９１３より後の領域であって、体温変化が極大となる点９１５に到達するまでの領域９１６を参照グラフ９１４より抽出し上昇時推定グラフとする。このようにして生成された上昇時推定グラフは、トレンドグラフの領域９０３の後に接続される（図９（ｄ）の９０４参照）。
【００５８】
ステップＳ８０５では、ステップＳ８０３において算出された体温最大値及び推定時刻及びステップＳ８０４で生成された上昇時推定グラフを表示部１０３に表示する。なお、このとき、ステップＳ８０１において算出された近似曲線９０１も合わせて表示する。
【００５９】
（２）下降時推定処理について
次に下降時推定処理について説明する。ステップＳ８１１では、読み出されプロットされた体温測定結果（図１０（ａ）参照）の中から、極大点となる体温測定結果を判別し、基準点として定義する。具体的には、読み出されプロットされた体温測定結果を所定次数の曲線により近似し（図１０（ｂ）の１００１）、微分値がゼロとなる時刻における体温測定結果（または微分値がゼロとなる時刻に最も近い体温測定結果）を極大点として判別し基準点とする。なお、極大点が複数存在していた場合には、最も新しいものを基準点とする。更に、極大点がない場合には、読み出された体温測定結果のうち、最大値の点（最大点）を基準点とする（図１０（ｂ）の１００２）。
【００６０】
ステップＳ８１２では、ＲＯＭ２２４に格納された複数パターンの参照グラフ９１１を順次読み出し、トレンドグラフと対比し、類似度を算出する。
【００６１】
具体的には、まず、ステップＳ８１１において定義された基準点１００２に対応する参照グラフ９１１上の基準点（極大点または最大点）１０１１に基づいて、トレンドグラフの時間幅Ｔ’分の参照グラフ（領域１０１２）を抽出する。そして、抽出した参照グラフと、ステップＳ８１１において定義された基準点１００２から最新の体温測定結果までの時間幅Ｔ’分のトレンドグラフ（領域１００３）とを、基準点１００２及び基準点１０１１に基づいて位置合わせした後、対比し、両者の類似度を算出する。なお、当該類似度の算出は、ＲＯＭ２２４に格納された複数パターンの参照グラフ９１１すべてに対して実行されるものとする。
【００６２】
ステップＳ８１３では、ステップＳ８１２において各参照グラフ９１１について算出された類似度に基づいて、類似度が最大となる参照グラフ１０１３を判別する。更に、判別した参照グラフ１０１３に基づいて、平熱に到達する時刻を推定値として算出する。
【００６３】
具体的には、参照グラフ１０１３における領域１０１２より後において体温変化が一定となる点１０１４に到達するまでの時間ｔ’を算出する。そして、トレンドグラフにおける最新の体温測定結果に対応付けられた測定日時に、当該時間ｔ’を加算した場合の時刻を算出し、平熱に到達する推定時刻とする。
【００６４】
ステップＳ８１４では、下降時推定グラフを生成する。具体的には、参照グラフ１０１３における領域１０１２より後の領域であって、体温変化が一定となる点１０１４に到達するまでの領域１０１５を参照グラフ１０１３より抽出し下降時推定グラフとする。このようにして生成された下降時推定グラフは、トレンドグラフの領域１００３の後に接続される（図１０（ｄ）の１００４参照）。
【００６５】
ステップＳ８１５では、ステップＳ８１３において算出された推定時刻及びステップＳ８１４で生成された下降時推定グラフを表示部１０３に表示する。なお、このとき、ステップＳ８１１において算出された近似曲線１００１も合わせて表示する。
【００６６】
以上の説明から明らかなように、本実施形態に係る電子体温計では、体温測定結果を測定日時と対応付けて保存するとともに、保存した当該体温測定結果を用いて、時間単位のトレンドグラフを生成する構成とした。
【００６７】
更に、生成したトレンドグラフを、参照グラフと対比することで、体温上昇中であれば、体温最大値及び体温最大値に到達する時刻を推定し、体温下降中であれば、平熱に到達する時刻を推定する構成とした。
【００６８】
更に、生成したトレンドグラフに所定次数の近似曲線を重畳させるとともに、体温最大値に到達するまでの上昇時推定グラフまたは平熱に到達するまでの下降時推定グラフを生成し、トレンドグラフに結合する構成とした。
【００６９】
これにより、発熱時の体温管理が容易になるとともに、体温変化の推移が把握しやすい電子体温計を提供することが可能となった。
【００７０】
［第２の実施形態］
上記第１の実施形態では、体温測定結果を保存する際に、被検者を特定することなく保存する構成としたが、本発明はこれに限定されない。例えば、体温測定結果を保存する際に被検者を特定し、当該特定した被検者を示す識別子を体温測定結果と対応付けて保存するように構成してもよい。このような構成とすることで、被検者が複数いた場合であっても、それぞれの被検者ごとにトレンドグラフの作成や、体温最大値の推定、体温最大値に到達する時刻の推定等を行うことが可能となる。
【００７１】
［第３の実施形態］
上記第１の実施形態では、メモ機能について特に言及しなかったが、上記電子体温計１００はメモ機能（薬飲の有無、体調等のデータを入力する機能）を備えていてもよい。また、当該メモ機能を用いて入力された各種データは、トレンドグラフ表示時に合わせて表示されるように構成してもよい。
【符号の説明】
【００７２】
１００・・・電子体温計、１０１・・・ハウジング、１０２・・・エンドキャップ、１０３・・・表示部、１０４・・・体温測定モードボタン、１０５・・・トレンド表示モードボタン、１０６・・・移動ボタン、１０７・・・決定ボタン、１０８・・・リセットボタン、７０１・・・カーソル、９０１・・・近似曲線、９０２・・・基準点、９０３・・・領域、９０４・・・上昇時推定グラフ、９１１・・・参照グラフ、９１２・・・基準点、９１３・・・領域、９１４・・・類似度が最大となる参照グラフ、９１５・・・体温変化が極大となる点、１００１・・・近似曲線、１００２・・・基準点、１００３・・・領域、１００４・・・下降時推定グラフ、１０１１・・・基準点、１０１２・・・領域、１０１３・・・類似度が最大となる参照グラフ、１０１４・・・体温変化が一定となる点、１０１５・・・領域
【図１】
0005517636.tif 000002
【図２】
0005517636.tif 000003
【図３】
0005517636.tif 000004
【図４】
0005517636.tif 000005
【図５】
0005517636.tif 000006
【図６】
0005517636.tif 000007
【図７】
0005517636.tif 000008
【図８】
0005517636.tif 000009
【図９】
0005517636.tif 000010
【図１０】
0005517636.tif 000011